(57)【要約】【課題】居室における居住性を高めるとともに、居室が大型化するのを抑える。【解決手段】居室は、寝台３と、居室２内に設けられ、寝台３よりも低い位置に配置され、一部が寝台３の鉛直下方に位置し、残部が、平面視した状態で寝台３から側方に突出した寝台４と、を備える。【選択図】図２
2017136991.tif 000002
【特許請求の範囲】
【請求項１】
第一の寝台と、
前記第一の寝台よりも低い位置に配置され、一部が前記第一の寝台の鉛直下方に位置し、残部が、平面視した状態で前記第一の寝台から側方に突出した第二の寝台と、
を備える居室。
【請求項２】
平面視した状態で、前記第一の寝台と前記第二の寝台とが互いに直交して配置され、
前記第二の寝台の長手方向の一端部が前記第一の寝台の下方に配置されている、請求項１に記載の居室。
【請求項３】
前記第二の寝台の前記一端部が、前記第二の寝台を利用する利用者の下肢を収容する下肢収容空間とされる、請求項２に記載の居室。
【請求項４】
平面視した状態で、前記第一の寝台と前記第二の寝台とが同一方向に長手方向を向けて積層され、
前記第二の寝台の幅方向の一部が、前記第一の寝台に対して幅方向一方の側に突出している請求項１に記載の居室。
【請求項５】
前記第二の寝台は、前記第一の寝台よりも幅が広い、
請求項４に記載の居室。
【請求項６】
前記第二の寝台は、前記第一の寝台に対し、幅方向にオフセットして配置されている
請求項４に記載の居室。
【請求項７】
前記第一の寝台の幅方向一方の側に設けられ、前記第一の寝台と天井との間を塞ぐ第一の仕切壁と、
前記第二の寝台の幅方向他方の側に設けられ、前記第二の寝台と前記第一の寝台との間を塞ぐ第二の仕切壁と、
を備える請求項６に記載の居室。
【請求項８】
前記第一の寝台には、床面と前記第一の寝台との間を昇降するための階段が設けられている、
請求項１から７の何れか一項に記載の居室。
【請求項９】
請求項１から８のいずれか一項に記載の居室を備える船舶。
【発明の詳細な説明】
【技術分野】
【０００１】
この発明は、居室、船舶に関する。
【背景技術】
【０００２】
船舶の居室等においては、乗客や乗組員の就寝空間を確保するため、ベッドを上下に重ねた２段ベッドが多用されている。例えば、特許文献１には、互いに隣接する２つの個室において、一方の個室のベッドと、他方の個室のベッドとが、上下方向に相互に重ねて配置された構成が開示されている。
【先行技術文献】
【特許文献】
【０００３】
【特許文献１】特開２０１４−８４０８０号公報
【発明の概要】
【発明が解決しようとする課題】
【０００４】
しかしながら、上段に位置するベッドにおいては、ベッド上の空間の高さが、上方に位置する居室の天井によって制限される。また、下段に位置するベッドにおいては、ベッド上の空間の高さが、上段に位置するベッドの下面によって制限される。したがって、利用者がベッド上に座ろうとした場合、空間の高さが不足して頭部が天井や上段のベッドの下面に干渉してしまうことがある。その結果、利用者にとっては、居室の居住性が低くなる。
上段に位置するベッドと居室の天井との間隔や、下段に位置するベッドと上段に位置するベッドとの間隔を大きくすれば、居住性は向上するものの、居室全体の高さが増大してしまう。その結果、居室設置階の階高が大きくなって船舶全体が大型化したり、居室設置階の階数が減少し、乗客定員が少なくなってしまう。
この発明は、上記事情に鑑みてなされたものであり、居室における居住性を高めるとともに、居室が大型化するのを抑えることができる寝室ユニット、船舶を提供することを目的とする。
【課題を解決するための手段】
【０００５】
この発明は、上記課題を解決するため、以下の手段を採用する。
この発明の第一態様によれば、居室は第一の寝台と、前記第一の寝台よりも低い位置に配置され、一部が前記第一の寝台の鉛直下方に位置し、残部が、平面視した状態で前記第一の寝台から側方に突出した第二の寝台と、を備える。
【０００６】
このように、第二の寝台の一部を第一の寝台の鉛直下方に配置することで、居室内において第一の寝台及び第二の寝台によって占有される平面積を抑えることができる。また、第二の寝台の残部は、平面視した状態で第一の寝台から側方に突出しているので、利用者が第二の寝台に寝そべるときには、利用者の上半身を、第一の寝台から側方に突出した部分に位置させることで、上方に第一の寝台が位置して圧迫感を受けるのを抑えることができる。また、第二の寝台において第一の寝台から側方に突出した部分に利用者が座る場合、利用者の頭部等が第一の寝台に干渉するのを抑えることができる。これにより、第一の寝台と第二の寝台との間隔を抑えつつ、居住性を確保することができる。
【０００７】
この発明の第二態様によれば、居室は、第一態様において、平面視した状態で、前記第一の寝台と前記第二の寝台とが互いに直交して配置され、前記第二の寝台の長手方向一端部が前記第一の寝台の下方に配置されているようにしてもよい。
このように構成することで、第二の寝台は、一部が第一の寝台の鉛直下方に位置し、残部が、平面視した状態で第一の寝台から側方に突出する。これにより、第一の寝台と第二の寝台との間隔を抑えつつ、居住性を確保することができる。
【０００８】
この発明の第三態様によれば、居室は、第二態様において、前記第二の寝台の前記一端部が、前記第二の寝台を利用する利用者の下肢を収容する下肢収容空間とされるようにしてもよい。
このように構成することで、利用者の上肢は、第二の寝台において、第一の寝台から側方に突出した部分に位置することになる。これにより、第一の寝台と第二の寝台との間隔を抑えつつ、居住性を確保することができる。
【０００９】
この発明の第四態様によれば、居室は、第一態様において、平面視した状態で、前記第一の寝台と前記第二の寝台とが同一方向に長手方向を向けて積層され、前記第二の寝台の幅方向の一部が、前記第一の寝台に対して幅方向一方の側に突出しているようにしてもよい。
このように構成することで、第二の寝台は、一部が第一の寝台の鉛直下方に位置し、残部が、平面視した状態で第一の寝台から側方に突出する。また、第二の寝台において第一の寝台から側方に突出した部分に利用者が座る場合、利用者の頭部等が第一の寝台に干渉するのを抑えることができる。これにより、第一の寝台と第二の寝台との間隔を抑えつつ、居住性を確保することができる。
【００１０】
この発明の第五態様によれば、居室は、第四態様において、前記第二の寝台は、前記第一の寝台よりも幅が広いようにしてもよい。
このように構成することで、第二の寝台の幅方向の一部が第一の寝台に対して幅方向一方の側に突出する。これにより、第一の寝台と第二の寝台との間隔を抑えつつ、居住性を確保することができる。
【００１１】
この発明の第六態様によれば、居室は、第四態様において、前記第二の寝台は、前記第一の寝台に対し、幅方向にオフセットして配置されているようにしてもよい。
このように構成することで、第二の寝台の幅方向の一部が第一の寝台に対して幅方向一方の側に突出する。これにより、第一の寝台と第二の寝台との間隔を抑えつつ、居住性を確保することができる。
【００１２】
この発明の第七態様によれば、居室は、第六態様において、前記第一の寝台の幅方向一方の側に設けられ、前記第一の寝台と前記居室部の天井との間を塞ぐ第一の仕切壁と、前記第二の寝台の幅方向他方の側に設けられ、前記第二の寝台と前記第一の寝台との間を塞ぐ第二の仕切壁と、を備えるようにしてもよい。
このように構成することで、第一の仕切壁と第二の仕切壁とによって居室を、上方に位置する第一の寝台側と、下方に位置する第二の寝台側とに区分して２つの個室を形成することができる。
【００１３】
この発明の第八態様によれば、居室は、第一から第七態様の何れか一つの態様において、前記第一の寝台には、前記居室部の床面と前記第一の寝台との間を昇降するための階段が設けられているようにしてもよい。
上方に位置する第一の寝台に昇降するには、梯子を用いる場合が多い。これに対し、階段を用いることで、第一の寝台への昇降を容易に行うことが可能となる。また、第一の寝台上に利用者が座ったときに、階段に足を置いたり、階段自体に利用者が座ったりすることもできる。
【００１４】
この発明の第九態様によれば、船舶は、第一から第八態様の何れか一つの態様に記載の居室を備える。
このような居室において、第一の寝台と第二の寝台との間隔を抑えつつ、居住性を確保することができる。したがって、居室が大型化することを抑制できる。
【発明の効果】
【００１５】
上述した居室、船舶によれば、居住性を高めるとともに、居室の大型化を抑えることができる。
【図面の簡単な説明】
【００１６】
【図１】この発明の実施形態に係る船舶の全体構成を示す模式図である。
【図２】第一実施形態における居室を示す斜視図である。
【図３】この発明の第二実施形態における居室の側断面図である。
【図４】上記居室の平面図である。
【図５】上記居室の構成を示す図であり、図４におけるＸ−Ｘ矢視断面図である。
【図６】この発明の第三実施形態における居室の側断面図である。
【図７】上記居室の構成を示す図であり、図６におけるＹ−Ｙ矢視断面図である。
【発明を実施するための形態】
【００１７】
以下、この発明の実施形態に係る居室、船舶を図面に基づき説明する。
（第一実施形態）
図１は、この発明の実施形態に係る船舶の全体構成を示す模式図である。図２は、第一実施形態における居室を示す斜視図である。
図１に示すように、フェリーや客船等の船舶１は、１以上の居室（居室部）２を備えている。
図２に示すように、居室２は、区画壁２ａ〜２ｄによって区画され、例えば平面視矩形状をなしている。
【００１８】
居室２において、廊下（図示無し）に面した区画壁２ａには、出入口２ｅが開口して形成されている。出入口２ｅには開閉可能な扉やカーテン（図示無し）等が設けられている。扉やカーテン等（特に扉）は、区画壁２ａに沿ってスライドすることで開閉する、いわゆる横開き式のものを用いてもよい。このように扉やカーテン等をスライドさせて開閉することにより、居室２の内側に、扉の開閉スペースを確保する必要が無い。
居室２の出入口２ｅに近い側には、トイレ、洗面、シャワー用の室１０を設けることもできる。
【００１９】
居室２内には、例えば２つの寝台（第二の寝台）３、寝台（第一の寝台）４が設けられている。寝台３，４は、それぞれ平面視長方形状をなしている。
【００２０】
寝台３は、出入口２ｅが設けられた区画壁２ａに対向した区画壁２ｂに沿う水平方向が平面視長方形状の長手方向となるように配置されている。より具体的には、寝台３は、その第一端部（一端部）３ｈが、区画壁２ｂに沿う水平方向における一端側に配置され、その第二端部３ｆが、区画壁２ｂに沿う水平方向における他端側に配置されている。
【００２１】
寝台４は、寝台３に対して上下方向に間隔をあけて配置されている。より具体的には、寝台４は、寝台３よりも上方に配置されている。この寝台４は、区画壁２ａ，２ｂに直交し、かつ寝台３の第二端部３ｆが近接した区画壁２ｃに沿う水平方向が平面視長方形状の長手方向となるように配置されている。より具体的には、寝台４は、その長手方向における第一端部４ｈが、区画壁２ａに近い側に配置され、その長手方向における第二端部４ｆが、区画壁２ｂに接するように配置されている。つまり、この実施形態の居室２において、寝台３、寝台４が上下二段に配置されている。
【００２２】
このような構成において、上段に位置する寝台４は、その第二端部４ｆが、下段に位置する寝台３の第二端部３ｆの鉛直上方に配置されている。言い換えると、下段に位置する寝台３は、その第二端部３ｆが、上段に位置する寝台４の第二端部４ｆの下方に配置されている。このようにして、下段に位置する寝台３と上段に位置する寝台４とは、平面視すると、その一部が垂直方向に重なっている。さらに、下段の寝台３は、その第二端部３ｆが、寝台４の第二端部４ｆの下方に位置し、下段の寝台３の第一端部３ｈが、寝台４よりも側方に突出している。この寝台３の側方に突出している部分は、上段の寝台４に対して上下方向で干渉しない。以下、この干渉しない部分を非干渉部Ｓ１と称する。
【００２３】
下段に位置する寝台３の利用者は、寝台３の上面の寝床面３ｔに寝そべるときに、非干渉部Ｓ１に位置する第一端部３ｈに頭部を向け、第二端部３ｆに脚部を向ける。これにより、利用者の下肢は、上段に位置する寝台４の第二端部４ｆの下方の空間に収容される。以下、この下肢が収容される第二端部４ｆの下方の空間を下肢収容空間Ｚと称する。さらに、利用者の上肢は、寝台４によって上方から覆われていない非干渉部Ｓ１に露出する。
【００２４】
この実施形態における区画壁２ｂは、下段に位置する寝台３の寝床面３ｔの上方に、背凭れパッド７を備えている。この背凭れパッド７により、例えば、下段に位置する寝台３の利用者は、区画壁２ａを向いて寝床面３ｔ上に座った状態で、背凭れパッド７にもたれかかることができる。
また、区画壁２ｂは、背凭れパッド７よりも上方に、窓８等を備えていてもよい。
【００２５】
上段に位置する寝台４の利用者は、寝床面４ｔに寝そべる際、例えば第二端部４ｆに頭部を向け、第一端部４ｈに脚部を向ける。
上段に位置する寝台４において、寝台３に対して区画壁２ａに近い側には、床面Ｆと寝台４上との間を昇降するための階段５が設けられている。階段５は、複数段（図１の例では３段）の段部５ｓ，５ｔ，５ｕを有している。この実施形態では、階段５は、段部５ｓ，５ｔ，５ｕが、区画壁２ａから区画壁２ｂに向かって順次配置されている。
最上段の段部５ｕは、寝台４の寝床面４ｔとの段差寸法を、例えば４０ｃｍ程度としてもよい。これにより、上段に位置する寝台４の利用者は、寝床面４ｔ上に座ったときに、足を階段５の最上段の段部５ｕ上に載せることができる。さらに、最下段の段部５ｓは、利用者が座るスペースとしても利用できる。この場合、最下段の段部５ｓに最も近い居室２の壁部に鏡等を設置しても良い。このようにすれば、利用者は、段部５ｓに座りつつ鏡を利用することが可能となる。
【００２６】
また、階段５において、最上段の段部５ｕには、鉛直上方に延びる手摺部材６が設けられている。
【００２７】
さらに、上段に位置する寝台４には、寝台３の上方に位置する部分に、上方に向かって延びる目隠し板９が設けられている。目隠し板９は、上段に位置する寝台４から物品が下段に位置する寝台３上に落下するのを抑えるとともに、上段に位置する寝台４上の利用者と下段に位置する寝台３上の利用者との視線が干渉するのを抑える。
【００２８】
したがって、上述した第一実施形態の居室、船舶１によれば、寝台３の一部を、寝台４の鉛直下方に配置することで、居室２内において寝台３及び寝台４によって占有される平面積を抑えることができる。利用者が寝台３に寝そべるときには、利用者の上半身を、寝台４において寝台３から側方に突出した非干渉部Ｓ１に位置させることで、上方に寝台３が位置して圧迫感を受けることを抑制できる。また、寝台３の非干渉部Ｓ１に利用者が座る場合、利用者の頭部等が上段に位置する寝台４に干渉するのを抑えることができる。これにより、寝台３と寝台４との間隔を抑えつつ、居住性を確保することができる。
その結果、居室２における天井高さを抑えながら居住性を高めるなど居室２が大型化することを抑制できる。これにより、船舶１の大型化を抑制し、船舶１が航行する際の燃費向上、航行速度向上を図ることができる。また、居室２の大型化を抑えることで、船舶１内に設置する居室２の数を増やしたり、居室２以外の他のエリアの面積を拡大したりすることもできる。
【００２９】
また、平面視した状態で、寝台３と寝台４とが互いに直交して配置され、寝台３の長手方向一端に位置する第二端部３ｆが、寝台４の下方に配置されている。
さらに、寝台４の下方に位置する寝台３の一端に位置する第二端部３ｆが、寝台３を利用する利用者の下肢を収容する下肢収容空間Ｚとされている。このように構成することで、利用者の上肢は、寝台３において、寝台４から側方に突出した非干渉部Ｓ１に位置することになる。これにより、寝台３と寝台４との間隔を抑えつつ、居住性を確保することができる。
【００３０】
寝台４には、居室２の床面Ｆと寝台４との間を昇降するための階段５が設けられている。したがって、寝台４への昇降を容易に行うことが可能となる。また、寝台４上に利用者が座ったときに、階段５を、足を置くスペースとして利用したり、階段５自体を利用者が座るスペースとして利用したりすることもできる。これにより、居室２内に椅子等を配する必要が無く、この点においても居室２の大型化を抑えることができる。
【００３１】
（第二実施形態）
次に、この発明に係る居室、船舶の第二実施形態について説明する。以下に説明する第二実施形態においては、第一実施形態と寝台１３，１４のレイアウトが異なるので、第一実施形態と同一部分に同一符号を付して説明するとともに、重複説明を省略する。
【００３２】
図３は、この発明の第二実施形態における居室の側断面図である。図４は、上記居室の平面図である。図５は、上記居室の構成を示す図であり、図４におけるＸ−Ｘ矢視断面図である。
図３〜図５に示すように、船舶１（図１参照）に設けられた居室（居室部）１２は、例えば平面視矩形状をなしている。居室１２内には、例えば２つの寝台（第二の寝台）１３、寝台（第一の寝台）１４が設けられている。寝台１３，１４は、それぞれ平面視長方形状をなしている。
【００３３】
寝台１３は、それぞれ、出入口１２ｅが設けられた区画壁１２ａと、区画壁１２ａに対向した区画壁１２ｂとを結ぶ区画壁１２ｃに沿う水平方向が長手方向となるように配置されている。言い換えれば、寝台１３は、区画壁１２ｃに沿うよう設けられ、その第一端部１３ｈが区画壁１２ａに近い側に配置され、第二端部１３ｆが区画壁１２ｂに近い側に配置されている。
【００３４】
寝台１４は、寝台１３に対し上下方向に間隔をあけて、寝台１３よりも上方に配置されている。この寝台１４は、区画壁１２ｃに沿うよう設けられ、区画壁１２ｃに沿う水平方向が長手方向となるように配置されている。寝台１４は、その第一端部１４ｈが区画壁１２ａに近い側に配置され、第二端部１４ｆが区画壁１２ｂに近い側に配置されている。つまり、寝台１３および寝台１４は、第一実施形態と同様に、居室２において上下二段に配置されている。
【００３５】
居室１２において、寝台１３，１４と、区画壁１２ｃに対向する区画壁１２ｄとの間は、通路Ｔ１１とされている。
【００３６】
このような構成において、下段に位置する寝台１３は、上段に位置する寝台１４よりも短手方向の幅寸法Ｗ１１が大きい。これにより、下段に位置する寝台１３は、区画壁１２ｃに対向する区画壁１２ｄに近接する側端部１３ｄが、上段に位置する寝台１４における区画壁１２ｄに近接する側端部１４ｄよりも、区画壁１２ｄ（通路Ｔ１１）側に突出している。
このようにして、下段に位置する寝台１３と上段に位置する寝台１４とは、平面視でその一部が垂直方向に重なり、残部が、垂直方向において互いに干渉しない非干渉部Ｓ１１となる。ここで、この第二実施形態における下段の寝台１３は、その側端部１３ｄが上段の寝台１４の側端部１４ｄよりも区画壁１２ｄ側に張り出すことで、上段の寝台１４に対して上下方向で干渉しない非干渉部Ｓ１１を形成している。
【００３７】
下段に位置する寝台１３の利用者は、寝台１３の上面の寝床面１３ｔに寝そべるときには、上段に位置する寝台１４の下方において、例えば、第一端部１３ｈに頭部を向け、第二端部１３ｆに脚部を向ける。
また、下段に位置する寝台１３の利用者は、上段に位置する寝台１４よりも張り出した非干渉部Ｓ１１に座ることができる。このとき利用者の上肢は、上段に位置する寝台１４よりも張り出した領域すなわち、非干渉部Ｓ１１の上方に位置するので、頭部などが上段に位置する寝台１４に干渉することなく、楽な姿勢で着座することができる。
【００３８】
上段に位置する寝台１４の利用者は、寝床面１４ｔに寝そべる際、例えば第一端部１４ｈに頭部を向け、第二端部１４ｆに脚部を向ける。
上段に位置する寝台１４において、区画壁１２ｂに近い側には、床面Ｆと寝台１４上との間を昇降するための階段１５が設けられている。階段１５は、複数段（図１の例では３段）の段部１５ｓ，１５ｔ，１５ｕを有している。この実施形態では、最下段の段部１５ｓと２段目の段部１５ｔとが、区画壁１２ｄに近い側に設けられ、最上段の段部１５ｕは、寝台１４の側端部１４ｄに近い側に設けられている。
【００３９】
最上段の段部１５ｕは、寝台１４の寝床面１４ｔとの段差寸法を、例えば４０ｃｍ程度としてもよい。これにより、上段に位置する寝台１４の利用者は、側面１４ｓに近い側で寝床面１４ｔ上に座ったときに、足を階段１５の最上段の段部１５ｕ上に載せることができる。
また、寝台１４の側面１４ｓ側には、段部１５ｕよりも区画壁１２ａ側に向かって延びる手摺部材１７が設けられている。
【００４０】
最上段の段部１５ｕの下方には、下段に位置する寝台１３側に向かって開口し、利用者の荷物Ｂ等を収容することができる収容空間１６が形成されている。
【００４１】
したがって、上述した第二実施形態の居室、船舶によれば、平面視した状態で、寝台１３と寝台１４とが同一方向に長手方向を向けて積層され、下段に位置する寝台１３の幅方向の一部の非干渉部Ｓ１１が、上段に位置する寝台１４に対して幅方向一方の側に突出している。このように構成することで、寝台１３は、一部が寝台１４の鉛直下方に位置し、側端部１３ｄ側の非干渉部Ｓ１１が、平面視した状態で寝台１４から側方に突出する。
このように、寝台１３の一部を、寝台１４の鉛直下方に配置することで、居室１２内において寝台１３及び寝台１４によって占有される平面積を抑えることができる。また、寝台１３において寝台１４から側方に突出した非干渉部Ｓ１１に利用者が座る場合、利用者の頭部等が寝台１４に干渉することを抑制できる。これにより、寝台１３と寝台１４との上下方向の間隔を抑えつつ、居住性を確保することができる。
【００４２】
また、寝台１３は、寝台１４よりも幅が広い。このように構成することで、寝台１３の幅方向の一部を、寝台１４に対して幅方向一方の側に容易に突出させることができる。
【００４３】
（第三実施形態）
次に、この発明に係る居室、船舶の第三実施形態について説明する。以下に説明する第三実施形態においては、第一、第二実施形態と同一部分に同一符号を付して説明するとともに、重複説明を省略する。
【００４４】
図６は、この発明の第三実施形態における居室の側断面図である。図７は、上記居室の構成を示す図であり、図６におけるＹ−Ｙ矢視断面図である。
図６、図７に示すように、船舶１（図１参照）に設けられた居室２２は、例えば平面視矩形状をなしている。居室２２内には、幅方向中央部に、例えば２つの寝台（第二の寝台）２３，寝台（第一の寝台）２４が設けられている。寝台２３，２４は、それぞれ平面視長方形状をなしている。
【００４５】
寝台２３は、それぞれ、廊下（図示無し）に面した区画壁２２ａと区画壁２２ａに対向した区画壁２２ｂとを結ぶ区画壁２２ｃに沿う水平方向に長手方向が向くように配置されている。寝台２３は、第一端部２３ｈを区画壁２２ｂに近い側に配置し、第二端部２３ｆを区画壁２２ａに近い側に配置している。この寝台２３は、区画壁２２ｃと区画壁２２ｃに対向する区画壁２２ｄとの中間部に配置されている。
【００４６】
寝台２４は、寝台２３に対し、上下方向に間隔をあけて、寝台２３の上方に配置されている。この寝台２４は、区画壁２２ｃに沿う水平方向に長手方向が向くように配置されている。寝台２４は、第一端部２４ｈを区画壁２２ａに近い側に配置し、第二端部２４ｆを区画壁２２ｂに近い側に配置している。
この実施形態では、下段に位置する寝台２３と上段に位置する寝台２４とは、幅寸法Ｗ２１が同一とされている。下段に位置する寝台２３と上段に位置する寝台２４とは、寝台２３，２４の幅方向に互いにオフセットさせて配置されている。
【００４７】
このような構成において、下段に位置する寝台２３は、その区画壁２２ｄに近い側の側端部２３ｄが、上段に位置する寝台２４における区画壁２２ｄに近い側の側端部２４ｄよりも、区画壁２２ｄ側に突出している。寝台２３の側端部２３ｄと区画壁２２ｄとの間は、通路Ｔ２１とされている。
上段に位置する寝台２４は、その区画壁２２ｃに近い側の側端部２４ｅが、下段に位置する寝台２３における区画壁２２ｃに近い側の側端部２３ｅよりも、区画壁２２ｃ側に突出している。寝台２４の側端部２４ｅと区画壁２２ｃとの間は、通路Ｔ２２とされている。
【００４８】
このようにして、下段に位置する寝台２３と上段に位置する寝台２４とは、平面視すると、その一部が垂直方向に重なり、残部が、垂直方向において互いに干渉しない非干渉部Ｓ２１となっている。ここで、下段に位置する寝台２３は、その側端部２３ｄが上段に位置する寝台２４の側端部２４ｄよりも区画壁２２ｄ側に張り出すことで、非干渉部Ｓ２１を形成している。
【００４９】
下段に位置する寝台２３の利用者は、寝台２３に寝そべるときには、例えば、第一端部２３ｈに近い側に頭部を向け、第二端部２３ｆに近い側に脚部を向ける。
また、下段に位置する寝台２３の利用者は、上段に位置する寝台２４よりも張り出した非干渉部Ｓ２１に座ることができる。このとき利用者の上肢は、上段に位置する寝台２４よりも張り出した領域にあるので、上段に位置する寝台２４に干渉することなく、楽な姿勢で着座することができる。
【００５０】
上段に位置する寝台２４の利用者は、寝そべる際、例えば第一端部２４ｈに近い側に頭部を向け、第二端部２４ｆに近い側に脚部を向ける。
上段に位置する寝台２４において、区画壁２２ｂに近い側には、床面Ｆと寝台２４上との間を昇降するための階段２５が設けられている。階段２５は、複数段（図２の例では３段）の段部２５ｓ，２５ｔ，２５ｕを有している。この実施形態では、階段２５は、区画壁２２ａ側に設けられた土間部２７から、区画壁２２ｂ側に向かって、段部２５ｓ，２５ｔ，２５ｕが順次設けられている。
最上段の段部２５ｕは、居室２２において、区画壁２２ａと区画壁２２ｂとを結ぶ奥行方向の中間部から区画壁２２ｂまで連続して形成されている。段部２５ｕは、その上面２５ｆと寝台２４の寝床面２４ｔとの段差寸法を、例えば４０ｃｍ程度とするのが好ましい。これにより、上段に位置する寝台２４の利用者は、寝床面２４ｔ上に座ったときに、足を階段２５の最上段の段部２５ｕ上に載せることができる。
【００５１】
また、最上段の段部２５ｕの下方には、下段に位置する寝台２３側に向かって開口した収容空間２６（図６参照）が形成されている。
【００５２】
下段に位置する寝台２３の側端部２３ｅ側には、床面Ｆから上方に延び、上段に位置する寝台２４を下方から支持する下部仕切壁（第二の仕切壁）３１が設けられている。また、上段に位置する寝台２３の側端部２４ｄ側には、上方の天井２２ｔにまで延びる上部仕切壁（第一の仕切壁）３２が設けられている。これら下部仕切壁３１及び上部仕切壁３２により、居室２２内は、２つの個室Ｋ１，Ｋ２に区画されている。
【００５３】
個室Ｋ２側において、上段に位置する寝台２４の下方であって、下部仕切壁３１と階段２５との間には、上段に位置する寝台２４を利用する利用者の荷物等を収容する収容空間２９が形成されている。
【００５４】
したがって、上述した第三実施形態の居室、船舶によれば、下段に位置する寝台２３は、上段に位置する寝台２４に対し、幅方向にオフセットして配置されている。このように構成することで、寝台２３の幅方向の一部の非干渉部Ｓ２１が、寝台２４に対して幅方向一方の側に突出する。これにより、寝台２３と寝台２４との間隔を抑えつつ、居住性を確保することができる。
したがって、居室２２内において寝台２３及び寝台２４によって占有される平面積を抑えることができる。また、寝台２３の非干渉部Ｓ２１は、平面視した状態で寝台２４から側方に突出しているので、利用者が寝台２３に寝そべるときには、利用者の上半身を、寝台２４から側方に突出した部分に位置させることで、上方に寝台２４が位置して圧迫感を受けることを抑制できる。また、寝台２３において寝台２４から側方に突出した部分に、利用者が座る場合、利用者の頭部等が寝台２４に干渉することを抑制できる。これにより、寝台２３と寝台２４との間隔を抑えつつ、居住性を確保することができる。
【００５５】
また、寝台２３の幅方向一方の側に、寝台２３と居室２２の天井２２ｔとの間を塞ぐ上部仕切り壁３２を備え、寝台２４の幅方向他方の側に、寝台２４と寝台２３との間を塞ぐ下部仕切壁３１を備えている。このように構成することで、居室２２内を、上方に位置する寝台２３側と、下方に位置する寝台２４側とに区分して、２つの個室Ｋ１，Ｋ２を形成することができ、居室２２内におけるプライバシー性を向上させることができる。
【００５６】
（その他の変形例）
なお、この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
居室２，１２，２２の平面積を増大させ、通路Ｔ１１，２１等を大きくしてもよい。さらに、居室２，１２，２２内には、上記実施形態で示した以外の什器等を設置しても良い。
【００５７】
さらに、上記各実施形態では、居室を、船舶１に限らず、居室を備える各種の移動手段や、宿泊施設等にも適用可能である。
【符号の説明】
【００５８】
１  船舶
２，１２，２２  居室（居室部）
２ａ，２ｂ，２ｃ，２ｄ，１２ａ，１２ｂ，１２ｃ，１２ｄ，２２ａ，２２ｂ，２２ｃ，２２ｄ  区画壁
２ｅ  出入口
３，１３，１３  寝台（第二の寝台）
３ｆ，４ｆ，１３ｆ，１４ｆ，２３ｆ，２４ｆ  第二端部
３ｈ，４ｈ，１３ｈ，１４ｈ，２３ｈ，２３ｆ  第一端部（一端部）
３ｔ，４ｔ，１３ｔ，１４ｔ，２４ｔ  寝床面
４，１４，２４  寝台（第一の寝台）
５，１５，２５  階段
５ｓ，５ｔ，５ｕ，１５ｓ，１５ｔ，１５ｕ，２５ｓ，２５ｔ，２５ｕ  段部
６  手摺部材
７  パッド
８  窓
９  板
１０  室
１２ｅ  出入口
１６，２６  収容空間
１７  手摺部材
２２ｔ  天井
２３ｄ，２３ｅ  側端部
２４ｄ，２４ｅ  側端部
２５ｆ  上面
２５ｕ  段部
２６  収容空間
２７  土間部
３１  下部仕切壁（第二の仕切壁）
３２  上部仕切壁（第一の仕切壁）
Ｂ  荷物
Ｆ  床面
Ｋ１，Ｋ２  個室
Ｓ１，Ｓ１１，Ｓ２１  非干渉部
Ｔ１１，Ｔ２１，Ｔ２２  通路
Ｚ  下肢収容空間
【図１】
2017136991.tif 000003
【図２】
2017136991.tif 000004
【図３】
2017136991.tif 000005
【図４】
2017136991.tif 000006
【図５】
2017136991.tif 000007
【図６】
2017136991.tif 000008
【図７】
2017136991.tif 000009